(57)【要約】【課題】シート・ベルトを円滑に案内できて異物感を与えずに外観仕上りを良くできて見映えを向上する。【解決手段】所定の長さの細長い表皮を筒状に縫い、そして、幅方向に二つ折りされる細帯表皮１１と、その細帯表皮１１の一端でその細帯表皮１１の裏面１４に固定的に取り付けられる無数の小さなループ付き面ファスナ１２とを含み、そして、その細帯表皮１１が、それの他端でシート・バック２１のトップ２３とヘッドレスト２２との間に縫い付けられ、そのシート・バック２１に適宜の隙間１５を置いてそのシート・バック２１のサイド２４の無数の小さなフック付き面ファスナ２５にその無数の小さなループ付き面ファスナ１２を押し付け、密着させてそのシート・バック２１に取り付けられ、そして、その隙間１５にシート・ベルトを通して案内する。【選択図】　　　図４
2004082791.tif 000002
【特許請求の範囲】
【請求項１】
所定の長さの細長い表皮を筒状に縫い、そして、幅方向に折りたたまれる細帯表皮と、その細帯表皮の一端でその細帯表皮の裏面に固定的に取り付けられる無数の小さなループ付き面ファスナとを含み、そして、その細帯表皮が、それの他端でシート・バックとヘッドレストとの間に縫い付けられ、そのシート・バックに適宜の隙間を置いてそのシート・バックのサイドの無数の小さなフック付き面ファスナにその無数の小さなループ付き面ファスナを押し付け、密着させてそのシート・バックに取り付けられ、そして、その隙間にシート・ベルトを通して案内するところのベルト・ガイド。
【請求項２】
しんに用いる細帯状の半硬質樹脂プレートと、一端詰めでそのプレートに所定の長さの細長い表皮を筒状に被せ、そのプレートに縫い付けられてそのプレートを綴じ、その一端で裏面に無数の小さなループ付き面ファスナを固定的に取り付け、そのプレートの他端の外に伸びるその筒状表皮端末を縫代に用い、そして、その縫代の根元部分を適宜に残してシート・バックのトップとヘッドレストとの間にその縫代を縫い付ける細帯表皮とを含み、そして、そのシート・バックのサイドの無数の小さなフック付き面ファスナにその無数の小さなループ付き面ファスナを押し付け、密着させてそのシート・バックに取り付けられ、そして、その細帯表皮とそのシート・バックとの間の隙間にシート・ベルトを通して案内するところのベルト・ガイド。
【請求項３】
しんに用いる細帯状の半硬質樹脂プレートと、そのプレートに所定の長さの細長い表皮を筒状に被せ、そのプレートに縫い付けられてそのプレートを綴じ、一端で裏面に無数の小さなループ付き面ファスナを固定的に取り付け、そして、シート・バックのトップとヘッドレストとの間に他端をそのプレートと一緒に縫い付ける細帯表皮とを含み、そして、そのシート・バックのサイドの無数の小さなフック付き面ファスナにその無数の小さなループ付き面ファスナを押し付け、密着させてそのシート・バックに適宜の隙間を置いてそのシート・バックに取り付けられ、そして、その隙間にシート・ベルトを通して案内するところのベルト・ガイド。
【発明の詳細な説明】
【０００１】
【発明の関係する分野】
この発明は、自動車のリア・シートのシート・ベルトに用いるベルト・ガイドに関する。
【０００２】
【背景技術】
自動車のリア・シートに用いるベルト・ガイドは、樹脂ブロックに成形されるか、シート・バックのサイド表皮を伸ばして面ファスナでそのシート・バックのトップに止めるのが一般である。前者では、異物感が与えられ、また、後者では、止め箇所がそのシート・バックのそのトップにあって見映えが悪い。
【０００３】
【発明の課題】
この発明の課題は、シート・バルトを円滑に案内できて異物感を与えずに外観仕上りを良くできて見映えを向上するところのベルト・ガイドの提供にある。
【０００４】
【課題に相応する手段およびそれの作用】
この発明は、所定の長さの細長い表皮を筒状に縫い、そして、幅方向に折りたたまれる細帯表皮と、その細帯表皮の一端でその細帯表皮の裏面に固定的に取り付けられる無数の小さなループ付き面ファスナとを含み、そして、その細帯表皮が、それの他端でシート・バックとヘッドレストとの間に縫い付けられ、そのシート・バックに適宜の隙間を置いてそのシート・バックのサイドの無数の小さなフック付き面ファスナにその無数の小さなループ付き面ファスナを押し付け、密着させてそのシート・バックに取り付けられ、そのようにしてシートとボディのサイド・シルとの間にそのファスナ止め箇所を隠し、そして、その隙間にシート・ベルトを通して案内する。
【０００５】
【具体例の説明】
以下、特定されて図示された具体例に基づいて、この発明のベルト・ガイドを説明するに、図１ないし図４は、乗用車のリア・シート２０に活用されるところのこの発明のベルト・ガイドの具体例１０を示し、そして、このベルト・ガイド１０では、細帯表皮１１が、所定の長さの細長い表皮を筒状に縫い、そして、幅方向に折りたたまれ、また、無数の小さなループ付き面ファスナ２１が、その細帯表皮１１の一端でその細帯表皮１１の裏面１４に貼り付けられる。
【０００６】
このベルト・ガイド１０において、１３は表面である。
【０００７】
したがって、このベルト・ガイド１０は、その細帯表皮１１が、それの他端でシート・バック２１のトップ２３とヘッドレスト２２との間に縫い付けられ、そのシート・バック２１に適宜の隙間１５を置いてそのシート・バック２１のサイド２４の無数の小さなフック付き面ファスナ２５にその無数の小さなループ付き面ファスナ１２を押し付け、密着されると、そのシート・バック２１に取り付けられ、そして、その隙間１５にシート・ベルト（図示せず）を通して案内する。このベルト・ガイド１０では、そのファスナ止め箇所が、そのリア・シート２０とその乗用車のボディとの間に、詳細には、そのシート・バック２１とサイド・シル３０との間に隠れ、そのシート・ベルトが円滑に案内され、そして、異物感を与えずに外観仕上りが良くなって見映えが向上される。
【０００８】
図５ないし図８は、乗用車のリア・シート２０にさらに適するように具体化されたところのこの発明のベルト・ガイドの具体例４０を示し、そして、このベルト・ガイド４０では、細帯状の半硬質樹脂プレート４１が、しんに用いられ、また、細帯表皮４２が、一端詰めでそのプレート４１に所定の長さの細長い表皮を筒状に被せ、そのプレート４１に縫い付けられてそのプレート４１を綴じ、その一端で裏面４４に無数の小さなループ付き面ファスナ１２を貼り付け、そのプレート４１の他端の外に伸びるその筒状表皮端末４５を縫代４６に用い、そして、その縫代の根元部分４７を適宜に残してシート・バック２１のトップ２３とヘッドレスト２２との間にその縫代４６を縫い付ける。
【０００９】
このベルト・ガイド４０において、４３は表面である。
【００１０】
したがって、このベルト・ガイド４０は、その細帯表皮４２が、そのシート・バック２１のサイド２４の無数の小さなフック付き面ファスナ２５にその無数の小さなループ付き面ファスナ１２を押し付け、密着されると、そのプレート４１の剛性、すなわち、曲げると真直になろうとするその剛性によってその細帯表皮４２とそのシート・バック２１との間に隙間４８が形成され、そして、その隙間４８にシート・ベルト（図示せず）を通して案内する。このベルト・ガイド４０では、そのプレート４１の剛性でその細帯表皮４２とそのシート・バック２１との間にその隙間４８が維持され、また、そのファスナ止め箇所が、そのリア・シート２０とその乗用車のボディとの間に、詳細には、そのシート・バック２１とサイド・シル３０との間に隠れ、そのシート・ベルトが円滑に案内され、そして、異物感を与えずに外観仕上りが良くなって見映えが向上される。
【００１１】
図９ないし図１２は、乗用車のリア・シート２０に適するように具体化されたところのこの発明のベルト・ガイドの具体例５０を示し、そして、このベルト・ガイド５０では、細帯状の半硬質樹脂プレート５１が、しんに用いられ、また、細帯表皮５２が、そのプレート５１に所定の長さの表皮を筒状に被せ、そのプレート５１に縫い付けられてそのプレート５１を綴じ、一端で裏面５４に無数の小さなループ付き面ファスナ１２を貼り付け、そして、シート・バック２１のトップ２３とヘッドレスト２２との間に他端をそのプレート５１と一緒に縫い付ける。
【００１２】
このベルト・ガイド５０において、５３は表面である。
【００１３】
したがって、このベルト・ガイド５０は、その細帯表皮５２が、そのシート・バック２１のサイド２４の無数の小さなフック付き面２５にその無数の小さなループ付き面ファスナ１２を押し付けて密着され、そのシート・バック２１に適宜の隙間５５を置いてそのシート・バック２１に取り付けられると、そのプレート５１の剛性、すなわち、曲げると真直になろうとする剛性によってその隙間５５が維持され、そして、その隙間５５にシート・ベルト（図示せず）を通して案内する。このベルト・ガイド５０では、そのプレート５１の剛性でその細帯表皮５２とそのシート・バック２１との間にその隙間５５が形成されて維持され、また、そのファスナ止め箇所が、そのリア・シート２０とのその乗用車のボディとの間に、詳細には、そのシート・バック２１とサイド・シルとの間に隠れ、そのシート・ベルトが円滑に案内され、そして、異物感を与えずに外観仕上りが良くなって見映えが向上される。
【００１４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ　ｃｏｍｍｅｎｓｕｒａｔｅ　ｗｉｔｈ）、そして、その発明の成立に必須である。
【００１５】
上述から理解されるように、この発明のベルト・ガイドは、所定の長さの細長い表皮を筒状に縫い、そして、幅方向に折りたたまれる細帯表皮と、その細帯表皮の一端でその細帯表皮の裏面に固定的に取り付けられる無数の小さなループ付き面ファスナとを含み、そして、その細帯表皮が、それの他端でシート・バックとヘッドレストとの間に縫い付けられ、そのシート・バックに適宜の隙間を置いてそのシート・バックのサイドの無数の小さなフック付き面ファスナにその無数の小さなループ付き面ファスナを押し付け、密着させてそのシート・バックに取り付けられ、そして、その隙間にシート・ベルトを通して案内するので、この発明のベルト・ガイドでは、そのファスナ止め箇所が、シートと自動車ボディとの間に隠れ、そのシート・ベルトが円滑に案内され、そして、異物感を与えずにそのシートまわりの外観仕上りが良くなって見映えが向上され、その結果、自動車シートにとって非常に有用で実用的である。
【図面の簡単な説明】
【図１】乗用車のリア・シートに活用されるところのこの発明のベルト・ガイドの具体例を示した斜視図である。
【図２】そのベルト・ガイドの箇所でそのリア・シートを部分的に拡大して示した斜視図である。
【図３】図２の３−３線に沿って示した断面図である。
【図４】そのベルト・ガイドを活用するそのリア・シートを部分的に示した正面図である。
【図５】乗用車のリア・シートにさらに適するように具体化されたところのこの発明のベルト・ガイドの具体例を示した斜視図である。
【図６】そのベルト・ガイドの箇所でそのリア・シートを部分的に拡大して示した斜視図である。
【図７】図６の７−７線に沿って示した断面図である。
【図８】そのベルト・ガイドを活用するそのリア・シートを部分的に示した断面図である。
【図９】乗用車のリア・シートに適するように具体化されたところのこの発明のベルト・ガイドの具体例を示した斜視図である。
【図１０】そのベルト・ガイドの箇所でそのリア・シートを部分的に拡大して示した斜視図である。
【図１１】図１０の１１−１１線に沿って示した断面図である。
【図１２】そのベルト・ガイドを活用するそのリア・シートを部分的に示した正面図である。
【符号の説明】
１０　ベルト・ガイド
１１　細帯表皮
１２　無数の小さなループ付き面ファスナ
１４　裏面
１５　隙間
２０　リア・シート
２１　シート・バック
２２　ヘッドレスト
２３　トップ
２４　サイド
２５　無数の小さなフック付き面ファスナ
４０　ベルト・ガイド（図５−図８）
４１　細帯状の半硬質樹脂プレート
４２　細帯表皮
４４　裏面
４５　筒状表皮端末
４６　縫代
４７　縫代の根元部分
４８　隙間
５０　ベルト・ガイド（図９−図１２）
５１　細帯状の半硬質樹脂プレート
５２　細帯表皮
５４　裏面
５５　隙間
【図１】
2004082791.tif 000003
【図２】
2004082791.tif 000004
【図３】
2004082791.tif 000005
【図４】
2004082791.tif 000006
【図５】
2004082791.tif 000007
【図６】
2004082791.tif 000008
【図７】
2004082791.tif 000009
【図８】
2004082791.tif 000010
【図９】
2004082791.tif 000011
【図１０】
2004082791.tif 000012
【図１１】
2004082791.tif 000013
【図１２】
2004082791.tif 000014